(57)【特許請求の範囲】
【請求項１】
入隅空間に設置されるパネル状機器の機器取付構造であって、
入隅部を介して相互に隣接する両壁面のそれぞれに取付縦枠が配され、該両取付縦枠間に複数の連結具を上下方向に間隔を空けて配し、それらの連結具で前記両取付縦枠間を連結させるようになっており、
前記連結具は、両端部を折曲延出して形成されたパネル保持部を備えており、
前記パネル状機器は、前記取付縦枠に取着され、前記パネル保持部に引掛け保持されるようにしたことを特徴とする機器取付構造。
【請求項２】
請求項１において、
前記取付縦枠は、壁面に固定されていることを特徴とする機器取付構造。
【請求項３】
請求項１または２において、
前記取付縦枠の前面には、前記パネル状機器の背面に面接触する取付面が形成されていることを特徴とする機器取付構造。
【請求項４】
請求項１〜３のいずれか１項において、
前記連結具のパネル保持部は、前記パネル状機器の背面に沿って延びるように折曲形成されていることを特徴とする機器取付構造。
【発明の詳細な説明】
【技術分野】
【０００１】
本発明は、居室や廊下等の入隅部に取り付けられるパネル状機器の機器取付構造に関する。
【背景技術】
【０００２】
従来より、空気循環パネル等のパネル状機器を室内等の壁面に取り付けるための機器取付構造が種々提案されている。特に近時では、デッドスペースになりやすい入隅空間を利用して、奥行のあるパネル状機器を配設できるようにした機器取付構造も提案されている（例えば、特許文献１参照）。
【０００３】
特許文献１に記載された機器取付構造は、入隅部に隣接する両壁面に複数のＬ字状の取付フレームを上下方向に間隔を空けて配設固定し、それらの取付フレームの両端にパネル状機器を固定するようにしたものである。
【先行技術文献】
【特許文献】
【０００４】
【特許文献１】特開昭６２−１７１８２７号公報  第３図
【発明の概要】
【発明が解決しようとする課題】
【０００５】
ところで、この種の機器取付構造において通例では、パネル状機器の背面には取付フレームにねじ止めするための取付部（ねじ取付孔等）が形成されているから、上記機器取付構造を用いる場合には、その取付部の位置に合わせて取付フレームを壁付けする必要がある。
【０００６】
しかしながら、取付フレームをパネル状機器の取付部の位置に合わせて誤差なく、しかも両端を同一高さに配設する作業を複数の取付フレームについて繰り返して行うことは容易ではなく、決して短時間でできるものではない。また、パネル状機器の取付部の高さ位置は機器の種類によって異なるため、種々のパネル状機器について、施工作業を画一的に行うことはできない。
【０００７】
本発明は、このような事情を考慮して提案されたもので、その目的は、パネル状機器を取付固定する高さ位置を自由に選択でき、パネル状機器の取付作業を効率的に行うことができる機器取付構造を提供することにある。
【課題を解決するための手段】
【０００８】
上記目的を達成するために、本発明に係る機器取付構造は、入隅空間に設置されるパネル状機器の機器取付構造であって、入隅部を介して相互に隣接する両壁面のそれぞれに取付縦枠が配され、両取付縦枠間に複数の連結具を上下方向に間隔を空けて配し、それらの連結具で両取付縦枠間を連結させるようになっており、連結具は、両端部を折曲延出して形成されたパネル保持部を備えており、パネル状機器は、取付縦枠に取着され、パネル保持部に引掛け保持されるようにしたことを特徴とする。
【０００９】
本発明において、取付縦枠が壁面に固定されたものとしてもよい。
【００１０】
また本発明において、取付縦枠の前面にパネル状機器の背面に面接触する取付面が形成されたものとしてもよい。
【００１２】
またさらに、本発明において、連結具のパネル保持部がパネル状機器の背面に沿って延びるように折曲形成されたものとしてもよい。
【発明の効果】
【００１３】
本発明の機器取付構造によれば、上述のような構成としたことで、パネル状機器を取付固定する高さ位置を自由に選択でき、それによってパネル状機器の取付作業の効率化が図れる。
【図面の簡単な説明】
【００１４】
【図１】本発明の一実施形態に係る機器取付構造の斜視図である。
【図２】この機器取付構造で取り付けられたパネル状機器の取付状態を示す外観斜視図である。
【図３】（ａ）は取付縦枠の平面図、（ｂ）は取付縦枠の正面図、（ｃ）は連結具の斜視図である。
【図４】（ａ）は取付縦枠および連結具を一体化して壁面に取り付けた状態の概略平面図、（ｂ）（ｃ）はそれぞれ要部拡大断面図である。
【図５】パネル状機器の取付状態を示す平面図である。
【図６】機器取付構造を示す分解斜視図である。
【図７】パネル状機器の背面側の取付状態を示す部分拡大斜視図である。
【図８】（ａ）（ｂ）は、本発明の他の２実施形態に係る概略平面図である。
【図９】（ａ）（ｂ）は、本発明のさらに他の２実施形態に係る概略平面図である。
【発明を実施するための形態】
【００１５】
以下に、本発明の実施の形態について、添付図面を参照しながら説明する。
【００１６】
図１〜図７は、本発明の一実施形態に係る機器取付構造の説明図である。
【００１７】
この機器取付構造は、室内等の入隅空間１に設置されるパネル状機器１０の機器取付構造であり、入隅部２を介して相互に隣接する両壁面３、３に固定した機器保持具Ａにパネル状機器１０を取り付けるようにしたものである。
【００１８】
本実施形態では、パネル状機器１０として空気循環パネルを例示しており、そのパネル状機器は、前面に化粧が施された前板部１１と、前板部１１の背面側より突出して設けられた機能部１２とを備えている。また、前板部１１の上部には排気口１３が形成され、下部には吸気口１４が形成されている。排気口１３、吸気口１４それぞれの幅方向の両側には、機器保持具Ａにねじ止めや釘止めにて固定するための取付部１５（図６参照）が設けてあり、それらの前面側に化粧カバー１６が取り外し自在に取り付けられている。
【００１９】
また機能部１２には、排気口１３と吸気口１４との間を連通する内部送風路（不図示）が形成されている。この内部送風路内に、送風方向を開口した多数の中空筒状セルの集合体からなるハニカム状構造体を配設し、セル内に調湿材や脱臭剤等の機能性材料を収容したものとしてもよい。このような構造により、吸気口１４から取り込んだ空気の調湿、脱臭をして、排気口１３から送出することができる。
【００２０】
また、機能部１２に塵埃等の捕捉性や調湿性、脱臭性などを有したフィルタや、シロッコファンが配置されたものを用いてもよい。さらに、シロッコファン等の駆動制御用の制御部を機能部１２に設けてもよい。
【００２１】
なお、パネル状機器１０としては図例に示した空気循環パネルに限られず、他の機能パネルでもよく、さらには機能性を有しない後付け壁パネルであってもよい。ようするに、室内や廊下などの屋内の入隅空間１に後付けできるものであれば、どのようなパネル状機器１０であってもよい。
【００２２】
また、パネル状機器１０の背面には引掛け部１７（図５および図６参照）が形成されているが、これについては、図６、図７とともに詳述する。
【００２３】
一方、機器保持具Ａは、両壁面３、３のそれぞれに固定される一組の取付縦枠２０、２０と、それら取付縦枠２０、２０に架け渡されて、それらを相互に連結し、両取付縦枠２０、２０間の上下方向に間隔を空けて配される複数の連結具３０、３０・・・とよりなる。
【００２４】
取付縦枠２０は、図３（ａ）に示すように、上辺２１、下辺２２を異なる長さとし、両側辺２３、２４のうちの一方が傾斜した、横断面が台形状をなす木質等の角柱材よりなる。その傾斜した側辺２４に対応する側面の複数個所には、図３（ａ）（ｂ）に示すように、反対側の側面に向かう取付孔２７が開設されている。
【００２５】
この取付縦枠２０は、図４（ａ）に示すように取り付けられる。すなわち、取付縦枠２０は床面４に対して略垂直に起立させて、台形の上辺２１（長辺）を入隅部２を向くように配され、つまり傾斜した側辺２４に対応する側面を室内中央に向け、この側面の反対側の側面を固定面２５として壁面３に密接させて、壁面３へ取り付けられる。取付縦枠２０の壁面３への固定は、取付孔２７より挿入されたねじによるねじ止めによりなされる。この取付孔２７は、取付面２６側の穴をねじ頭を収納できる程度の径とし、固定面２５側の穴をねじ頭が通過できない程度の径としたものである。
【００２６】
また、傾斜した側辺２４側の側面はパネル状機器１０を取付固定するための取付面２６を構成しており、取付縦枠２０、２０のそれぞれを対応する壁面３、３の所定の位置に固定することで、それらの取付面２６、２６は同一方向を向き、かつ平面視で同一直線上に位置される。
【００２７】
連結具３０は、２つの取付縦枠２０、２０を連結するための部材であり、金属、合成樹脂等よりなる帯板材を折曲して形成してなる。連結具３０の形状は平面視で略Ｌ字状であり、Ｌ字をなす両片３１、３１は略同長であり、それら両片３１、３１のなす角度が略９０度となっている。また連結具３０の両端部には、相互に近づくように略直角に折曲された、取付縦枠２０、２０への取付固定部３２、３２が形成されている。さらに取付固定部３２、３２の各端部には、相互に対向するように略４５度、折曲され延出したパネル保持部３３、３３が形成されている。このパネル保持部３３、３３は、設置するパネル状機器１０の背面に略平行に近接あるいは接触するように延びている。
【００２８】
このような構造の連結具３０は複数のものが、両取付縦枠２０、２０間に上下方向に間隔を空けて配され、それらの全てが両取付縦枠２０、２０に固定される。
【００２９】
この連結具３０は、このように両取付縦枠２０、２０を連結するための部材であるから、取付縦枠２０、２０には任意の高さ位置に固定すればよいが、間隔を空けて取り付けることが望ましい。
【００３０】
また、連結具３０の両端の取り付け高さ位置は略同一にすること、つまり床面４に対して連結具３０を平行に配置することが望ましいが、異なる高さ位置に取り付けられるような形状の連結具を用いてもよい。例えば、機器保持具Ａの安定、強化を図るために、２つの連結具を中央でクロスさせるように取り付けてもよい。なお、連結具の両端の高さ位置を異ならせる場合でも、パネル保持部３３をパネル状機器１０を引掛け保持するものとして用いるのであれば、パネル保持部３３は床面４に対して平行に配されるようなものとすることが望ましい。
【００３１】
また、連結具３０の取付固定部３２は取付縦枠２０の（台形における）上辺２１（長辺）側の側面に、図４（ｃ）に示すように、ねじ止めにて固定される。なお、特にねじ止めには限定されず、接着剤、その他種々の手段で固着されればよい。
【００３２】
このように、機器保持具Ａは一組の取付縦枠２０、２０と、複数の連結具３０、３０・・・とが一体となった状態で入隅空間１に配設される。なお、入隅空間１への配設は、施工現場へ持ち込む前に機器保持具Ａを一体化しておき、一体化した状態で壁面３、３へ固定してもよい。また、現場にて、取付縦枠２０、２０を壁面３、３に固定してから、連結具３０、３０・・・を取り付けることもできる。
【００３３】
なお、本実施形態には、連結具３０が壁面３に固着されないものを示したが、連結具３０も壁面３にビス、釘等の固定具や接着剤で固着されるようにしてもよい。
【００３４】
こうして機器保持具Ａを入隅空間１に配設した後、この機器保持具Ａに対してパネル状機器１０が取り付けられる。
【００３５】
パネル状機器１０の取付手順については、図６および図７を参照しながら説明する。
【００３６】
パネル状機器１０は、入隅空間１において、パネルの背面側で機器保持具Ａに支持されて、保持されるようになっている。具体的には、取付部１５の取付縦枠２０へのねじ止めによる取着と、背面に設けた引掛け部１７の連結具３０のパネル保持部３３への引掛けとにより保持されるようになっている。効率的に現場作業を行うために、図６の例のように予めねじ取付孔１５ａを設けておくことが望ましい。
【００３７】
パネル状機器１０の背面には、図６、図７に示したように、複数のＬ字状の引掛け部１７が、連結具３０のパネル保持部３３に対応した位置に設けてある。なお、図中の１７ａはＬ字形部材、１７ｂはＬ形部材１７ａを固定するための基板である。
【００３８】
この引掛け部１７は、パネル状機器１０を機器保持具Ａに仮保持させることを目的として設けたものである。引掛け部１７は、全ての連結具３０、３０・・・に対応するように備えられなくてもよく、例えば、１つの連結具３０に対応するように２箇所に設けるようにしてもよい。パネル状機器１０をより安定した状態に仮保持するため、望ましくは２つ以上の連結具３０に対応するように、２×Ｎ箇所に引掛け部１７を設ければよい。
【００３９】
このようにパネル状機器１０は、連結具３０のパネル保持部３３、３３に引掛け保持されて仮保持されるようになっている。
【００４０】
そして、パネル状機器１０を連結具３０、３０・・・に仮保持させた状態で、上下４箇所に設けた取付部１５、１５・・・を取付縦枠２０、２０の取付面２６、２６に対して面接触させた状態でねじ止めすることで、パネル状機器１０を機器保持具Ａに固定できる。ねじ止めがなされた後、取付部１５のそれぞれの前面に化粧カバー１６を取り付けることでパネル状機器１０の施工が終了する。
【００４１】
以上のように、パネル状機器１０は室内等の入隅空間１に簡易な取付手順でもって設置することができる。
【００４２】
特に、パネル状機器１０は取付縦枠２０、２０に対して取付固定される構成であるから、取付部１５の固定位置に対応した、取付縦枠２０、２０の全長に対する適宜な高さ位置でパネル状機器１０を固着することができる。したがって、幅寸法が同一で、取付部１５の形成高さ位置が種々異なるパネル状機器１０に対して、１種類の機器保持具Ａで対応することができる。また、パネル状機器１０の設置高さも自由に選択できる。よって、パネル状機器１０を床面から少し空間を空けて設置するような場合でも、現場で自由に高さ調整をすることができる。
【００４３】
また、連結具３０、３０・・・のパネル保持部３３、３３にパネル状機器１０の引掛け部１７を引掛けることで、パネル状機器１０を仮保持できるようになっているため、その後の取付縦枠２０、２０への固着作業がしやすく、効率的かつ迅速な施工が行える。特に、パネル保持部３３はパネル状機器１０の背面に略平行に近接あるいは接触するように形成されているので、引掛け操作を楽に行える。
【００４４】
また、パネル状機器１０の取付部１５は取付縦枠２０の取付面２６と面接触した状態で固着される構成であるため、パネル状機器１０は安定的に保持され得る。このようにパネル状機器１０を取付縦枠２０に面接触の状態で取り付ける構成であるため、パネル状機器１０の背面側の入隅空間１は外部から隠された状態となる。そのため、連結具３０やパネル状機器１０の機能部１２は露出されることはなく、美観が保たれる。また、入隅空間１において面と面とを接触させてパネル状機器１０を設置する構造であるため、設置状態の安定化が図れ、さらにパネル状機器１０が出っ張りすぎることもなく、無駄のない空間の利用が図れる。
【００４５】
こうして、この機器取付構造によれば、デッドスペースとなりやすい入隅空間１をパネル状機器１０の設置場所として、簡易な施工により利用することができる。特に、機能部１２など奥行がある部材を背面に有したパネル状機器１０を配設する場合に、入隅空間１を有効に活用することができる。
【００４６】
以上の実施形態では、取付縦枠２０、２０を壁面３、３に固着する例を示したが、取付縦枠２０、２０に代えて連結具３０、３０・・・を固着するようにしてもよい。またさらに取付縦枠２０、２０、連結具３０、３０・・・のいずれをも壁面３に固着せずに、載置するだけの構成としてもよい。その場合には、機器保持具Ａの下端に台座や台輪を設ければよく、また例えば、取付縦枠２０の最下端に連結具３０を取り付けて台輪を構成するようにして、仮置きできるようにしてもよい。
【００４７】
ついで、本発明の他の実施形態について、図８（ａ）（ｂ）および図９（ａ）（ｂ）を参照しながら説明する。
【００４８】
図８（ａ）（ｂ）に示した機器取付構造は、いずれも一組の取付縦枠２０、２０でパネル状機器１０を挟むようにして保持できるものである。
【００４９】
すなわち、図８（ａ）のものは、取付縦枠２０、２０の取付面２６、２６を対向させるように取り付けて、それらの間に、図１等に示したものと同様のパネル状機器１０を挟持固定するようにしている。また図８（ｂ）のものは、取付縦枠２０、２０は断面長方形状であり、その取付面２６、２６に面接触するように、パネル状機器１０の側端面が平面視で傾斜状に加工形成されている。これらの構造によれば、パネル状機器１０を仮保持した時点で横ずれするおそれがないため、取付縦枠２０、２０へのねじ止めをミスなく行える。
【００５０】
また、図９（ａ）（ｂ）に示した機器取付構造では、他の形状の連結具３０用いたものである。
【００５１】
すなわち、図９（ａ）の連結具３０は、その平面視形状がＬ字状をなすが、Ｌ字を形成する両片３１、３１の長さ寸法が異なる。このように、Ｌ字を形成する両片３１、３１の長さ寸法を異ならせることで、パネル状機器１０を入隅部２に対して様々な角度に設置することでできる。
【００５２】
また、図９（ｂ）の連結具３０は、壁面３、３や入隅部２に沿って取り付けるような形状ではなく、取付縦枠２０、２０間を直接架け渡すような直線的な平面視形状となっている。この図９（ｂ）に示した連結具３０によれば、材料を節約できる。
【００５３】
なお、これら図８および図９の例は、連結具３０のパネル保持部３３によるパネル状機器１０の引掛け保持等の上述の実施形態と同じ構造、部位については、同一の符号を付してその説明は省略する。
【００５４】
以上の種々の実施形態では、パネル状機器１０は、取付縦枠２０に固着され、連結具３０に引掛け保持される例を説明したが、連結具３０のみに固着保持されるようにしてもよい。
【符号の説明】
【００５５】
１      入隅空間
２      入隅部
３      壁面
１０      パネル状機器
１１      前板部
１２      機能部
１３      排気口
１４      吸気口
１５      取付部
１６      化粧カバー
１７      引掛け部
Ａ      機器保持具
２０      取付縦枠
２５      固定面
２６      取付面
２７      取付孔
３０      連結具
３１      Ｌ字をなす片
３２      取付固定部
３３      パネル保持部
【図１】
0005853200.tif 000002
【図２】
0005853200.tif 000003
【図３】
0005853200.tif 000004
【図４】
0005853200.tif 000005
【図５】
0005853200.tif 000006
【図６】
0005853200.tif 000007
【図７】
0005853200.tif 000008
【図８】
0005853200.tif 000009
【図９】
0005853200.tif 000010